(57)【要約】【課題】開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供する。【解決手段】アタッカーの槌機構によれば、開閉扉２２０の前縁部２２５が、ガラス板ＦＤ２の後方へ所定距離の位置に前進したとき、開閉扉２２０の前縁部２２５の左端部とガラス板ＦＤ２との間に噛み込まれる遊技球は、槌部材３１０によりその先端部３１１ｄにて前縁部２２５の左端部とガラス板ＦＤ２との間から押し出されて、上記噛み込みから解消される。【選択図】図１１
2012045140.tif 000002
【特許請求の範囲】
【請求項１】
パチンコ遊技機の遊技盤にその盤面から前扉の透明板に向けて突出するように設けられて前記盤面の少なくとも上方に向けて開口するように下方に向けて凹な形状にて凹所を設けてなる入賞口部材と、
当該入賞口部材の前記凹所の上側にて前後方向に移動可能に設けられて当該凹所を前方への移動により閉じ後方への移動により遊技球の入賞可能に開く平板状開閉扉と、
この開閉扉を前進或いは後退するように駆動する駆動手段とを備える可変入賞口装置において、
前記遊技盤のうち前記開閉扉の左右方向一側部の近傍部位にて回動可能に支持されて前記開閉扉と前記透明板との間に進入可能に槌部を有してなる槌部材と、
前記槌部の前記開閉扉と前記透明板との間への進入方向とは逆方向に前記槌部材を付勢する付勢手段とを備えて、
前記開閉扉の前記左右方向一側部が、前記開閉扉の前進過程において前記槌部材を前記付勢手段の付勢に抗して回動させるように構成されてなることを特徴とする可変入賞口装置。
【請求項２】
前記開閉扉の前進過程において、当該開閉扉の前縁部が前記透明板の裏面から後方へ所定距離の位置に達する前には、前記槌部材は、前記槌部を前記開閉扉と前記透明板との間の外側に位置させ、前記開閉扉の前縁部が前記所定距離に達すると、前記槌部材は、前記槌部を前記開閉扉と前記透明板との間に進入させ、その後の前記開閉扉の前進に伴い、前記槌部を前記開閉扉と前記透明板との間の外側に位置させるようにしたことを特徴とする請求項１に記載の可変入賞口装置。
【請求項３】
前記所定距離は、遊技球の外径の±１０％の範囲内に相当する距離であることを特徴とする請求項２に記載の可変入賞口装置。
【請求項４】
パチンコ遊技機の遊技盤にその盤面から前扉の透明板に向けて突出するように設けられて前記盤面の少なくとも上方に向けて開口するように下方に向けて凹な形状にて凹所を設けてなる入賞口部材と、
当該入賞口部材の前記凹所の上側にて前後方向に移動可能に設けられて当該凹所を前方への移動により閉じ後方への移動により開く平板状開閉扉と、
この開閉扉を前進或いは後退するように駆動する駆動手段とを備える可変入賞口装置において、
前記遊技盤のうち前記開閉扉の左右方向一側部の近傍部位にて左右方向に回動可能に支持される回動基部と、この回動基部から前記開閉扉と前記透明板との間に進入可能に延出される槌部とを有する槌部材と、
この槌部材の前記回動基部を前記開閉扉の前記左右方向一側部に圧接させるように付勢する付勢手段とを備えて、
前記開閉扉の前進過程において、当該開閉扉の前縁部が前記透明板の裏面から後方へ遊技球の外径の±１０％の範囲内に相当する所定距離に達する前には、前記槌部材は、前記槌部を前記開閉扉と前記透明板との間の外側に位置させ、前記開閉扉の前記前縁部が前記所定距離に達したときには、前記槌部材は、前記槌部を前記開閉扉と前記透明板との間に進入させるように、前記開閉扉の前記左右方向一側部の前記回動基部との圧接構造が形成されていることを特徴とする可変入賞口装置。
【請求項５】
前記開閉扉の前記左右方向一側部は、その前側部位にて、前後方向に切り割り形成されて上下両側切り割り部として構成されており、
当該上下両側切り割り部のうち下側切り割部は、その前後方向中間部位にて、前記回動基部から離れる方向に凹状となるような窪み部として形成されており、
前記下側切り割部は、その前記窪み部の前方部位にて、前記開閉扉の前記前縁部の前記所定距離への到達まで、前記付勢手段による付勢のもと前記回動基部により圧接されて前記槌部を前記開閉扉と前記透明板との間の外側に位置させ、前記開閉扉の前記前縁部の前記所定距離への到達に伴い、前記回動基部から解離し、前記窪み部にて前記付勢手段による付勢のもと前記回動基部により圧接されて前記槌部を前記開閉扉と前記透明板との間に進入させ、前記開閉扉のその後の前進に伴い前記槌部を前記上下両側切り割り部の間に進入させるようにしたことを特徴とする請求項４に記載の可変入賞口装置。
【請求項６】
請求項１〜５のいずれか１つに記載の可変入賞口装置を備えて、
当該可変入賞口装置を前記遊技盤にその盤面側から設けるようにしたパチンコ遊技機。
【発明の詳細な説明】
【技術分野】
【０００１】
本発明は、可変入賞口装置及びこの可変入賞口装置を備えたパチンコ遊技機に関する。
【背景技術】
【０００２】
従来、この種のパチンコ遊技機においては、下記特許文献１に記載されたパチンコ遊技機が提案されている。このパチンコ遊技機においては、第１開閉装置が、大入賞口装置として、遊技盤の盤面に設けられている。
【０００３】
ここで、当該第１開閉装置は、遊技盤の前後方向に進退可能な第１大入賞口開閉扉と、この第１大入賞口開閉扉の直下に位置する第１大入賞口とを備えている。
【０００４】
このように構成した第１開閉装置においては、第１大入賞口開閉扉が、遊技盤の前方から後方に向け移動することで、第１大入賞口を開き、また、遊技盤の後方から前方に向け移動することで、第１大入賞口を閉じるようになっている。
【先行技術文献】
【特許文献】
【０００５】
【特許文献１】特開２００８−３０７３１５号公報（特に、段落番号「０２３３」〜段落番号「０２４４」の各欄の記載及び図４４〜図４６の各記載参照）
【発明の概要】
【発明が解決しようとする課題】
【０００６】
しかし、上述したパチンコ遊技機の第１開閉装置においては、第１大入賞口を閉じるにあたり、第１大入賞口開閉扉は、遊技盤の後方から前方に向け移動することで、前扉のガラス板に向けて進むこととなる。
【０００７】
このような段階にて、遊技球が遊技盤の盤面に沿い降下すると、当該遊技球が、前扉のガラス板と第１大入賞口開閉扉との間に噛み込まれて、第１大入賞口開閉扉の前方への移動を妨げる事態が発生する。その結果、第１大入賞口を正しく閉じることができないというおそれが発生する。
【０００８】
そこで、本発明は、以上のようなことに対処するため、開閉扉の前進過程において、遊技球が開閉扉と前扉の透明板との間に噛み込まれても、当該遊技球の噛み込みを強制的に解消するようにした可変入賞口装置及びこの可変入賞口装置を備えたパチンコ遊技機を提供することを目的とする。
【課題を解決するための手段】
【０００９】
上記課題の解決にあたり、本発明に係る可変入賞口装置は、請求項１の記載によれば、
パチンコ遊技機の遊技盤（１０）にその盤面（１１）から前扉（ＦＤ）の透明板（ＦＤ２）に向けて突出するように設けられて上記盤面の少なくとも上方に向けて開口するように下方に向けて凹な形状にて凹所（２１１）を設けてなる入賞口部材（２１０）と、
当該入賞口部材の上記凹所の上側にて前後方向に移動可能に設けられて当該凹所を前方への移動により閉じ後方への移動により遊技球の入賞可能に開く平板状開閉扉（２２０）と、
この開閉扉を前進或いは後退するように駆動する駆動手段とを備える。
【００１０】
当該可変入賞口装置において、遊技盤のうち開閉扉の左右方向一側部（２２１）の近傍部位にて回動可能に支持されて開閉扉と上記透明板との間に進入可能に槌部（３１１ｃ）を有してなる槌部材（３１０）と、
上記槌部の開閉扉と上記透明板との間への進入方向とは逆方向に槌部材を付勢する付勢手段（３２０）とを備えて、
開閉扉の上記左右方向一側部が、開閉扉の前進過程において槌部材を付勢手段の付勢に抗して回動させるように構成されてなることを特徴とする。
【００１１】
これによれば、開閉扉の上記左右方向一側部が、開閉扉の前進過程において槌部材を付勢手段の付勢に抗して回動させるように構成されていることで、槌部が、開閉扉の前進過程において、開閉扉と透明板との間に進入することとなる。
【００１２】
従って、槌部の開閉扉と上記透明板との間への進入に先立ち、落下する遊技球が、開閉扉の前進過程において、この開閉扉と透明板との間に噛み込まれても、当該遊技球は、開閉扉と上記透明板との間に進入する槌部により、開閉扉と透明板との間から押し出される。その結果、遊技球の開閉扉と上記透明板との間への噛み込みが解消され得る。
【００１３】
ここで、上述のように開閉扉の上記左右方向一側部が、開閉扉の前進過程において槌部材を付勢手段の付勢に抗して回動させるように構成されているから、開閉扉の前進に応じて槌部材が上記噛み込みを解消するように動作する。このことは、なんら電気的制御に依存することなく、遊技球の上記噛み込みを機械的に解消し得ることを意味する。
【００１４】
また、本発明は、請求項２の記載によれば、請求項１に記載の可変入賞口装置にて、
開閉扉の前進過程において、当該開閉扉の前縁部（２２５）が、透明板の裏面から後方へ所定距離の位置に達する前には、槌部材は上記槌部を開閉扉と透明板との間の外側に位置させ、開閉扉の前縁部が上記所定距離に達すると、槌部材は、上記槌部を開閉扉と透明板との間に進入させ、その後の開閉扉の前進に伴い、上記槌部を開閉扉と透明板との間の外側に位置させるようにしたことを特徴とする。
【００１５】
これによれば、開閉扉の前進過程において、開閉扉の前縁部が上記所定距離に達するタイミングにて、槌部材は、上記槌部を開閉扉と透明板との間に進入させるので、この進入に先立ち、落下遊技球が開閉扉と透明板との間に噛み込まれても、当該遊技球は、開閉扉と透明板との間に進入する槌部により、上記タイミングにて開閉扉と透明板との間から押し出されて上記噛み込みから解消され得る。
【００１６】
また、この噛み込みの解消後には、開閉扉の前進に伴い、槌部を開閉扉と透明板との間の外側に位置させるから、開閉扉は、槌部により邪魔されることなく、円滑に前進し得る。
【００１７】
また、本発明は、請求項３の記載によれば、請求項２に記載の可変入賞口装置において、前記所定距離は、遊技球の外径の±１０％の範囲内に相当する距離であることを特徴とする。
【００１８】
これによれば、開閉扉の前進過程においてその前縁部が透明板の裏面から後方へ遊技球の外径の±１０％の範囲内に相当する距離に達したときに、これに先立ち、開閉扉の前縁部と透明板の裏面との間に噛み込まれる遊技球を、槌部により、タイミングよく、開閉扉の前縁部と透明板の裏面との間から押し出して、上記噛み込みから解消させ得る。
【００１９】
また、本発明に係る可変入賞口装置は、請求項４の記載によれば、
パチンコ遊技機の遊技盤（１０）にその盤面（１１）から前扉（ＦＤ）の透明板（ＦＤ２）に向けて突出するように設けられて上記盤面の少なくとも上方に向けて開口するように下方に向けて凹な形状にて凹所（２１１）を設けてなる入賞口部材（２１０）と、
当該入賞口部材の上記凹所の上側にて前後方向に移動可能に設けられて当該凹所を前方への移動により閉じ後方への移動により開く平板状開閉扉（２２０）と、
この開閉扉を前進或いは後退するように駆動する駆動手段とを備える。
【００２０】
当該可変入賞口装置において、
遊技盤のうち開閉扉の左右方向一側部（２２５）の近傍部位にて左右方向に回動可能に支持される回動基部（３１１ｂ）と、この回動基部から開閉扉と透明板との間に進入可能に延出される槌部（３１１ｃ）とを有する槌部材（３１０）と、
この槌部材の上記回動基部を開閉扉の前記左右方向一側部に圧接させるように付勢する付勢手段（３２０）とを備えて、
開閉扉の前進過程において、当該開閉扉の前縁部が透明板の裏面から後方へ遊技球の外径の±１０％の範囲内に相当する所定距離に達する前には、槌部材は、上記槌部を開閉扉と透明板との間の外側に位置させ、開閉扉の前縁部が上記所定距離に達したときには、槌部材は、上記槌部を開閉扉と透明板との間に進入させるように、開閉扉の上記左右方向一側部の上記回動基部との圧接構造が形成されていることを特徴とする。
【００２１】
これによれば、上述のように、開閉扉の左右方向一側部の回動基部との圧接構造が形成されているから、開閉扉の前縁部が上記所定距離に達したときには、槌部材は、付勢手段に抗して、槌部を開閉扉と透明板との間に進入させる。
【００２２】
従って、この進入に先立ち、落下する遊技球が、開閉扉と透明板との間に噛み込まれても、開閉扉の前縁部が上記所定距離に達したときに、当該遊技球は、タイミングよく、開閉扉と透明板との間に進入する槌部により、開閉扉と透明板との間から押し出される。その結果、遊技球の開閉扉と透明板との間への噛み込みがタイミングよく解消され得る。
【００２３】
また、本発明は、請求項５の記載によれば、請求項４に記載の可変入賞口装置において、
開閉扉の上記左右方向一側部は、その前側部位にて、前後方向に切り割り形成されて上下両側切り割り部（２２４、２２３）として構成されており、
当該上下両側切り割り部のうち下側切り割部は、その前後方向中間部位にて、上記回動基部から離れる方向に凹状となるような窪み部（２２３ａ）として形成されており、
上記下側切り割部は、その上記窪み部の前方部位（２２３ｂ）にて、開閉扉の上記前縁部の上記所定距離への到達まで、付勢手段による付勢のもと上記回動基部により圧接されて上記槌部を開閉扉と透明板との間の外側に位置させ、開閉扉の上記前縁部の上記所定距離への到達に伴い、上記回動基部から解離し、上記窪み部にて付勢手段による付勢のもと上記回動基部により圧接されて上記槌部を開閉扉と透明板との間に進入させ、開閉扉のその後の前進に伴い上記槌部を上記上下両側切り割り部の間に進入させるようにしたことを特徴とする
このように構成することにより、開閉扉の前縁部の上記所定距離への到達に伴い、下側切り割部は、その窪み部の前方部位にて、回動基部から解離し、上記窪み部にて付勢手段による付勢のもと上記回動基部により圧接されて上記槌部を開閉扉と透明板との間に進入させる。
【００２４】
従って、この進入に先立ち、落下する遊技球が、開閉扉と上記透明板との間に噛み込まれても、開閉扉の前縁部が上記所定距離に達したときに、当該遊技球は、タイミングよく、開閉扉と上記透明板との間に進入する槌部により、開閉扉と上記透明板との間から押し出される。その結果、遊技球の開閉扉と上記透明板との間への噛み込みがタイミングよく解消され得る。
【００２５】
また、このような遊技球の噛み込み解消後、開閉扉のその後の前進に伴い、槌部が上下両側切り割り部の間に進入するので、開閉扉は、上下両側切り割り部の間における槌部との当接を招くことなく、円滑に、前進して前進完了位置に達することで、凹所をその上方から確実に閉じることができる。
【００２６】
また、本発明に係るパチンコ遊技機は、請求項６の記載によれば、請求項１〜５のいずれか１つに記載の可変入賞口装置（ＡＴ）を備えて、当該可変入賞口装置を遊技盤にその盤面側から設けるようにしたものである。
【００２７】
これによれば、請求項１〜５のいずれか１つに記載の発明の作用効果を達成し得るパチンコ遊技機の提供が可能となる。
【発明の効果】
【００２８】
本発明によれば、開閉扉の左右方向一側部が、開閉扉の前進過程において槌部材を付勢手段の付勢に抗して回動させるように構成されていることで、槌部が、開閉扉の前進過程において、開閉扉と上記透明板との間に進入することとなる。
【００２９】
従って、槌部の開閉扉と透明板との間への進入に先立ち、落下する遊技球が開閉扉と透明板との間に噛み込まれても、当該遊技球は、開閉扉と透明板との間に進入する槌部により、開閉扉と上記透明板との間から押し出されて、上記噛み込みから解消され得る。
【００３０】
なお、上記各手段の括弧内の符号は、後述する実施形態に記載の具体的手段との対応関係を示す。
【図面の簡単な説明】
【００３１】
【図１】本発明が適用されるパチンコ遊技機の第１実施形態を示す正面図である。
【図２】上記第１実施形態における遊技盤の正面図である。
【図３】上記第１実施形態におけるアタッカーを、前進完了位置にある開閉扉との関係において示す拡大斜視図である。
【図４】図３におけるアタッカーの平面図である。
【図５】図３におけるアタッカーの槌機構を示す拡大斜視図である。
【図６】図３におけるアタッカーの板状入賞口部材を示す斜視図である。
【図７】図３におけるアタッカーの入賞口部材を除いた構成を示す分解斜視図である。
【図８】上記第１実施形態におけるアタッカーを、後退完了位置にある開閉扉との関係にて示す斜視図である。
【図９】上記第１実施形態におけるアタッカーを、後退完了位置にある開閉扉との関係にて示す平面図である。
【図１０】上記第１実施形態におけるアタッカーにおいて開閉扉が後退完了位置にあるときの槌機構の斜視図である。
【図１１】上記第１実施形態におけるアタッカーを、開閉扉の所定距離まで前進したときの状態にて示す斜視図である。
【図１２】上記第１実施形態におけるアタッカーを、開閉扉の所定距離まで前進したときの状態にて示す平面図である。
【図１３】図１１における槌機構と開閉扉の左壁部との関係を示す拡大斜視図である。
【図１４】上記第１実施形態におけるアタッカーを、開閉扉の所定距離への到達後さらに前進したときの状態にて示す斜視図である。
【図１５】上記第１実施形態におけるアタッカーを、開閉扉の所定距離への到達後さらに前進したときの状態にて示す平面図である。
【図１６】図１４における槌機構と開閉扉の左壁部との関係を示す拡大斜視図である。
【発明を実施するための形態】
【００３２】
以下、本発明の各実施形態を図面により説明する。
（第１実施形態）
図１は、本発明が適用されるパチンコ遊技機の第１実施形態を示している。当該パチンコ遊技機は、パチンコホール（図示しない）内の島（図示しない）に立設されるもので、このパチンコ遊技機は、機枠（図示しない）と、この機枠に対し前後方向に開閉可能に支持される遊技機本体Ｂ及び前扉ＦＤとにより構成されている。
【００３３】
なお、前扉ＦＤは、図１にて示すごとく、前枠ＦＤ１の中空部に窓ガラスＦＤ２を嵌め込んで構成されている。また、当該パチンコ遊技機は、いわゆる右打ちタイプのデジパチ型パチンコ遊技機からなるもので、図１において、図示左右方向が、当該パチンコ遊技機の左右方向に対応し、図示奥行き方向が、当該パチンコ遊技機の前後方向に対応し、また、図示上下方向が、当該パチンコ遊技機の上下方向に対応する。
【００３４】
遊技機本体Ｂは、図２にて示すごとく、遊技盤１０を備えており、この遊技盤１０は、遊技機本体Ｂの枠体（図示しない）に嵌装されている。なお、遊技機本体Ｂは、上記枠体が上記機枠によって支持されており、上記機枠に対して前後方向へ開閉可能とされている。
【００３５】
また、当該遊技機本体Ｂは、ガイドレール２０、環状のセンター構造物３０及び遊技釘群４０を備えている。ガイドレール２０は、図２にて示すごとく、遊技盤１０の盤面１１の外周部に沿い配設されており、このガイドレール２０は、その内周側において、遊技盤１０の盤面１１上に遊技領域１１ａを形成する。
【００３６】
しかして、当該ガイドレール２０は、操作ハンドルＨの図１にて図示時計方向への回動操作により、球発射装置（図示しない）から発射される遊技球を遊技領域１１ａの左側上部内に案内する。なお、上記球発射装置は、遊技機本体Ｂの上記枠体の右下部に配設されている。また、操作ハンドルＨは、上記球発射装置の一構成部品として遊技機本体Ｂの上記枠体の右下部にその前面から設けられている。
【００３７】
ここで、当該球発射装置は、操作ハンドルＨの回動角度に応じた打球力でもって、ガイドレール２０に沿い遊技球を所定の時間間隔にて順次発射するように構成されている。なお、操作ハンドルＨの回動角度は、所定回動角度以下に規制されている。
【００３８】
しかして、操作ハンドルＨの回動角度を、上記所定回動角度の最大値（最大回動角度）にすれば、遊技球は、操作ハンドルＨの最大の打球力でもって、ガイドレール２０に沿い発射されて、センター構造物３０の右側へ転動する。以下、このように操作ハンドルＨをその最大回動角度まで回動する操作を、右打ち操作という。
【００３９】
なお、遊技領域１１ａの一部を構成する遊技球通路１１ｂが、センター構造物３０の右側部とガイドレール２０との間に形成されている。このため、最大の発射速度で発射された遊技球がガイドレール２０の内周面に沿って移動し遊技球通路１１ｂへと案内されると、この遊技球は、遊技球通路１１ｂを通過した後、センター構造物３０の右下方へと落下していく。
【００４０】
また、操作ハンドルＨの回動角度を中間回動角度にすれば、遊技球は、センター構造物３０の右側に達することなく左側へ転動する。以下、このように操作ハンドルＨをその中間回動角度まで回動する操作を、左打ち操作という。
【００４１】
以上のように、右打ちタイプのパチンコ遊技機は、通常遊技状態では、遊技者による左打ち操作のもとに、遊技球の発射速度を低く抑えて遊技球をセンター構造物３０の左側へ誘導するようにし、また、遊技者に対して有利な遊技状態となる特定遊技状態（大当たりなど）の発生時には、遊技者による右打ち操作のもとに、遊技球の発射速度を最大にして、遊技球をセンター構造物３０の右側へ誘導し、遊技球通路１１ｂを通過して、アタッカーＡＴへの入賞の機会及び右側スルーゲート７０ｂの通過の機会を形成する。
【００４２】
このように、右打ちタイプのパチンコ遊技機は、通常遊技状態と特定遊技状態とで、遊技者に対して、異なる操作ハンドルの操作を行わせて遊技させるタイプのパチンコ遊技機である。
【００４３】
センター構造物３０は、図２にて示すごとく、遊技盤１０の中央開口部の外周部に盤面１１側から組み付けられている。遊技釘群４０は、多数の遊技釘４１からなるもので、当該多数の遊技釘４１は、ガイドレール２０の内周側において、センター構造物３０の左上側から左下側を介し右下側にかけて、遊技盤１０にその盤面１１側から分散して打ち込まれている。
【００４４】
しかして、遊技釘群４０によれば、ガイドレール２０から遊技領域１２の左側上部内に順次案内される遊技球は、遊技盤１０の盤面１１に沿い、各遊技釘４１との衝突を経て、下方へ転動する。
【００４５】
また、当該遊技機本体Ｂは、画像表示器５０を備えており、この画像表示器５０は、その表示面である液晶パネル５１にて、遊技盤１０の中央開口部から前方を臨むように、遊技盤１０にその裏面側から配設されている。
【００４６】
しかして、この画像表示器５０は、表示制御装置（図示しない）による制御のもと、当該パチンコ遊技機による遊技の進行に伴い、大当たり抽選の結果を複数の装飾図柄により表示したり、或いは、リーチ演出として各種の動画像を表示する等の種々の演出表示を行う。
【００４７】
また、当該遊技機本体Ｂは、第１始動口装置であるスタートチャッカー６０ａ、第２始動口装置である電動チューリップ６０ｂ、左右両側スルーゲート７０ａ、７０ｂ、風車８０、複数（３つ）の普通入賞口９０、表示器群１００、及び大入賞口装置であるアタッカーＡＴを備えており、スタートチャッカー６０ａ、電動チューリップ６０ｂ、左右両側スルーゲート７０ａ、７０ｂ、風車８０、各普通入賞口９０及びアタッカーＡＴは、センター構造物３０とともに、左打ち操作による遊技球をスタートチャッカー６０ａに入賞させ易いように、かつ、右打ち操作による遊技球をスタートチャッカー６０ａに入賞させにくいように、図２に示す各配置位置にて、遊技盤１０の盤面１１に遊技領域１１ａ内にて組み付けられている。
【００４８】
ここで、スタートチャッカー６０ａは、センター構造物３０の下縁中央部の直下に位置しており、このスタートチャッカー６０ａは、その左右周辺に位置する複数の遊技釘４１（いわゆる道釘４１）により案内される遊技球やセンター構造物３０のステージ上から落下する遊技球に対し、入賞（始動入賞）の機会を与える。
【００４９】
また、当該スタートチャッカー６０ａは、その遊技球の入賞に基づき、所定個数の賞球を払い出すとともに大当たり抽選の機会を形成する。なお、上記大当たり抽選は、当落抽選ともいい、遊技球の大量獲得を目的とする長当たり、遊技球の大量獲得を目的としない短当たり、遊技球の大量獲得を目的としない小当たり、遊技球の獲得を不能にするハズレのいずれであるかにつき抽選することをいう。
【００５０】
電動チューリップ６０ｂは、普通電動役物としての役割を果たすべく、スタートチャッカー６０ａの直下に位置しており、この電動チューリップ６０ｂは、その左右両側羽根部材の閉動作により、遊技球に対し入賞の機会を与える。また、当該電動チューリップ６０ｂは、上記左右両側羽根部材の開動作により、遊技球に対する入賞の機会を増大させる。なお、電動チューリップ６０ｂは、スタートチャッカー６０ａと同様の遊技球の始動入賞口装置としての役割をも兼ね、所定個数の賞球の払い出すととともに大当たり抽選の機会を形成する。
【００５１】
左右両側スルーゲート７０ａ、７０ｂのうち、左側スルーゲート７０ａは、図２にて示すごとく、センター構造物３０の左縁中央部の左側に位置している。これにより、操作ハンドルＨの左打ち操作によりセンター構造物３０の左側上部に案内された遊技球が当該左側スルーゲート７０ａの直上から遊技盤１０の盤面１１に沿い下方へ転動するとき、当該遊技球は左側スルーゲート７０ａを通過する機会を得る。なお、遊技球の左側スルーゲート７０ａの通過でもって、電動チューリップ６０ｂを所定の時間及び所定の回数だけ開放する機会を与えるための普通図柄の抽選が開始される。
【００５２】
一方、右側スルーゲート７０ｂは、図２にて示すごとく、センター構造物３０の右下側隅角部の右斜め下側に位置している。これにより、操作ハンドルＨの右打ち操作によりセンター構造物３０の右側上部内に案内された遊技球が遊技盤１０の盤面１１に沿い下方へ転動するとき、当該遊技球は右側スルーゲート７０ｂを通過する機会を得る。なお、遊技球の右側スルーゲート７０ｂの通過でもって、電動チューリップ６０ｂを所定の時間及び所定の回数だけ開放する機会を与えるための普通図柄の抽選が開始される。
【００５３】
風車８０は、左側スルーゲート７０ａの下方に位置しており、この風車８０は、遊技盤１０の盤面１１に沿い左側スルーゲート７０ａ或いはその周囲から下方へ転動する遊技球により衝突されたとき、回転しつつ当該遊技球を下方へ転動させる。
【００５４】
複数（３つ）の普通入賞口９０は、スタートチャッカー６０ａの左側に位置しており、これら各普通入賞口９０は、その直上から下方へ転動する遊技球に対し入賞の機会を与える。ここで、普通入賞口９０への遊技球の入賞に伴い、所定個数の賞球が払い出される。
【００５５】
表示器群１００は、図２にて示すごとく、遊技盤１０の右下隅角部にその前面側から配設されており、この表示器群１００は、普通図柄表示器、普通図柄保留器、特別図柄表示器及び特別図柄保留器でもって構成されている。
【００５６】
ここで、上記普通図柄表示器は、普通図柄を変動表示してこの普通図柄の変動表示の終了に伴い当該普通図柄の抽選結果を表示する。上記普通図柄保留器は、普通図柄の変動表示の保留数を表示する。
【００５７】
上記特別図柄表示器は、スタートチャッカー６０ａへの遊技球の入賞或いは電動チューリップ６０ｂへの遊技球の入賞に伴いなされる大当たり抽選の結果に基づき、特別図柄を変動表示して、この特別図柄の変動表示の終了に伴い大当たり抽選の結果を表示する。また、上記特別図柄保留器は、特別図柄の変動表示の保留数を表示する。
【００５８】
アタッカーＡＴは、図２にて示すごとく、電動チューリップ６０ｂの右斜め上方及び右側スルーゲート７０ｂの左斜め下方に位置するように、遊技盤１０にその盤面１１側から組み付けられている。
【００５９】
当該アタッカーＡＴは、図３に示すごとく、大入賞口機構であるアタッカー本体２００と、このアタッカー本体２００に付設してなる槌機構３００とにより構成されている。
【００６０】
アタッカー本体２００は、遊技盤１０の右側下部に組み付けられており、このアタッカー本体２００は、図３、図６或いは図８にて例示するごとく、板状入賞口部材２１０と、開閉扉２２０と、駆動機構（図示しない）とを備えている。
【００６１】
板状入賞口部材２１０は、遊技盤１０にその盤面１１側から前方へ突設されている。この板状入賞口部材２１０は、図６にて例示するごとく、凹所２１１を有しており、この凹所２１１は、板状入賞口部材２１０の左右方向中間部位にその上面から凹状に形成されている。
【００６２】
当該凹所２１１は、両底壁部２１１ａ、２１１ｂからなる階段状底壁及び左右両壁２１１ｃでもって、略コ字状に形成されて上方に向け上側開口部として開口している。ここで、両底壁部２１１ａ、２１１ｂのうち、底壁部２１１ａは、底壁部２１１ｂの右側に位置しており、この底壁部２１１ａは、その内面にて、右壁２１１ｃから底壁部２１１ｂに向けて傾斜するように形成されている。これにより、この底壁部２１１ａは、凹所２１１内に上方から落下する遊技球を受承して底壁部２１１ｂに向けて案内する。
【００６３】
底壁部２１１ｂは、その内面にて、その前縁部から後縁部にかけて傾斜するように形成されており、この底壁部２１１ｂは、底壁部２１１ａにより案内される遊技球を後側開口部２１２（後述する）に向けて案内するとともに、凹所２１１内に上方から落下する遊技球を直接受承して後側開口部２１２に向けて案内する。
【００６４】
左壁２１１ｃは、底壁部２１１ｂの左端部からＬ字状に上方へ屈曲して延出するように形成されており、一方、右壁２１１ｃは、底壁部２１１ａの右端部からＬ字状に上方へ屈曲して延出するように形成されている。
【００６５】
ここで、凹所２１１は、前壁２１１ｄを有しており、この前壁２１１ｄは、凹所２１１の上記階段状底壁の後縁部からＬ字状に上方へ屈曲して延出するように形成されている。これにより、当該前壁２１１ｄは、遊技球を、凹所２１１の上記階段状底壁の各上面から前方へ落下させない役割を果たす。なお、前壁２１１ｄは、その上端部にて、左壁２１１ｃから右壁２１１ｃにかけて下方に向け傾斜している。
【００６６】
また、凹所２１１は、両後壁部２１１ｅ、２１１ｆからなる後壁を有しており、後壁部２１１ｅは、底壁部２１１ａの後縁部からＬ字状に上方へ屈曲して延出するように形成されている。これにより、当該後壁部２１１ｅは、底壁部２１１ａの上面から後方へ落下させない役割を果たす。
【００６７】
後壁部２１１ｆは、後壁部２１１ｅの左端部から後方へ傾斜状に延出してなるもので、この後壁部２１１ｆは、後述のように後側開口部２１２からの遊技球を後方へ案内する役割を果たす。
【００６８】
後側開口部２１２は、凹所２１１内に進入した遊技球を排出する役割を果たすもので、この後側開口部２１２は、凹所２１１において左壁２１１ｃ、底壁部２１１ｂ及び後壁部２１１ｅの左端部の間に形成されている。これにより、凹所２１１内において底壁部２１１ｂにより案内される遊技球が、後側開口部２１２を通りその後方へ後壁部２１１ｆにより案内されて転動する。なお、遊技球が後側開口部２１２を通るとき、当該遊技球は、大入賞口センサにより検出される。この検出結果に基づき、遊技制御回路（図示しない）にて大当たり抽選等の処理がなされる。
【００６９】
開閉扉２２０は、遊技盤１０の上記右側下部に形成されたアタッカー用開口部（図示しない）内に板状入賞口部材２１０の凹所２１１の上側開口部（大入賞口に相当する）に沿い前後方向に移動可能に設けられているもので、この開閉扉２２０は、その後退により、上記アタッカー用開口部内に収容されるように移動し、その前進により、上記アタッカー用開口部から脱出するように移動するようになっている。
【００７０】
なお、本第１実施形態において、開閉扉２２０が上記アタッカー用開口部内に収容されたとき、当該開閉扉２２０は、その前縁部にて、遊技盤１０の盤面１１と同一面内に位置するようになっている。また、当該開閉扉２２０が上記アタッカー用開口部から脱出したとき、この開閉扉２２０の前縁部２２５と前扉ＦＤのガラス板ＦＤ２の裏面との間の距離は、遊技球の外径（例えば、１１（ｍｍ））よりも狭い。一方、当該開閉扉２２０が上記アタッカー用開口部内に収容されているとき、開閉扉２２０の前縁部２２５と前扉ＦＤのガラス板ＦＤ２の裏面との間の距離は、例えば、２５（ｍｍ）と長い。
【００７１】
ここで、開閉扉２２０は、扉本体部２２０ａと、左右両壁部２２１、２２２とを備えており、扉本体部２２０ａは、略四角形の平板状に形成されている。左右両壁部２２１、２２２は、それぞれ、扉本体部２２０ａの左右両端部から下方へＬ字状に屈曲するように延出している。
【００７２】
しかして、当該開閉扉２２０は、その左右両壁部２２１、２２２にて、案内壁部２１３（後述する）の右端部上及び凹所２１１の右壁２１１ｃの上端部上に前後方向へ移動可能に上記駆動機構により支持されている。このことは、開閉扉２２０は、凹所２２１の上記上側開口部に沿い移動可能に支持されていることを意味する。なお、扉本体部２２０ａは、その上面にて、右壁部２２２側から左壁部２２１側にかけて下方に向け傾斜しており、開閉扉２２０の右壁部２２２は、その上面にて、案内壁部２１４（後述する）と一致している。
【００７３】
しかして、開閉扉２２０は、上記駆動機構により前進或いは後退するように駆動されて、上記アタッカー用開口部から脱出して前進完了位置（図３及び図４参照）にあるとき、扉本体部２２０ａにより凹所２１１の上記上側開口部を閉じ、上記アタッカー用開口部内に収容されて後退完了位置（図８及び図９参照）にあるとき、扉本体部２２０ａにより凹所２１１の上記上側開口部を開く。
【００７４】
このことは、開閉扉２２０は、凹所２１１の上記上側開口部を閉じ、凹所２１１の上記上側開口部を開くことで、アタッカーＡＴに向けて落下してきた遊技球を凹所２１１内にその上側開口部を通し進入させ得ることを意味する。なお、上記駆動機構は、電磁式アクチュエータを主たる構成要素として、開閉扉２２０を前進或いは後進させるように構成されている。
【００７５】
上述した両案内壁部２１３、２１４は、それぞれ、板状入賞口部材２１０の上面のうち凹所２１１の左右両側上面部でもって構成されている。このため、閉状態にある開閉扉２２０の扉本体部２２０ａ上に落下した遊技球は、扉本体部２２０ａの上面に沿い案内壁部２１３上に転動した後この案内壁部２１３によりアウト口（図示しない）に向けて案内される。一方、閉状態にある開閉扉２２０の扉本体部２２０ａ上に落下して案内壁部２１４上に転動する遊技球は、案内壁部２１４により上記アウト口に向けて案内される。
【００７６】
槌機構３００は、板状槌部材３１０を備えており、この槌部材３１０は、その支持軸３１１ａ（図５、図１０、図１３及び図１６）にて、開閉扉２２０の左壁部２２１の近傍に位置するように、板状入賞口部材２１０にその案内壁部２１３側から横方向に回動可能に支持されている。
【００７７】
詳細には、槌部材３１０は、矩形板状回動基部３１１ｂ及びＬ字板状槌部３１１ｃを一体的に備えてなるもので、矩形板状回動基部３１１ｂは、その下面にて、支持軸３１１ａにより、開閉扉２２０の左壁部２２１の近傍に位置するように、板状入賞口部材２１０にその案内壁部２１３側から横方向に回動可能に支持されている。なお、支持軸３１１ａは、矩形板状回動基部３１１ｂの左側後端隅角部の下面から垂下するように突出されている。
【００７８】
Ｌ字板状槌部３１１ｃは、その後端部にて矩形板状回動基部３１１ｂの左側前端隅角部上に位置するように、矩形板状回動基部３１１ｂと一体的に形成されており、当該Ｌ字板状槌部３１１ｃは、その後端部から前方及び右方にかけてＬ字状に延出されている。なお、Ｌ字板状槌部３１１ｃは、その下面にて矩形板状回動基部３１１ｂの上面と同一平面内に位置するように矩形板状回動基部３１１ｂから延出されている。
【００７９】
しかして、このように構成した槌部材３１０は、矩形板状回動基部３１１ｂ及びＬ字板状槌部３１１ｃにて、開閉扉２２０の左壁部２２１に次のように対向している。
【００８０】
ここで、左壁部２２１の前側部位は、当該左壁部２２１の前端部から後方に向けて、上下両側切り割り壁部２２３、２２４として切り割り形成されている。これに伴い、上下両側切り割り壁部２２３、２２４の間には、切り割り溝部２２４ａが形成されている。また、下側切り割り壁部２２３は、窪み部２２３ａを有しており、この窪み部２２３ａは、切り割り壁部２２３の前後方向中間部位にその左面側から凹状に形成されている。これにより、下側切り割り壁部２２３は、窪み部２２３ａと、その前方側の前方壁部２２３ｂと、窪み部２２３ａの後方側の後方壁部２２３ｃとにより構成される。
【００８１】
このような前提のもと、矩形板状回動基部３１１ｂは、その右端部にて、下側切り割り壁部２２３にその左方から対向するように、支持軸３１１ａにより、入賞口部材２１０の案内壁部２１３上に支持されている。また、Ｌ字板状槌部３１１ｃは、その延出先端部（以下、先端部３１１ｄともいう）にて、左壁部２２１の切り割り溝部２２４ａ内にその左方から進入可能に対向するように、矩形板状回動基部３１１ｂに形成されている。
【００８２】
また、槌機構３１０は、図５、図７或いは図１０にて示すごとく、コイル状捩りばね３１２を備えている。この捩りばね３１２は、そのコイル部３１２ａにて、支持軸３１１ａに同軸的に嵌装されており、当該捩りばね３１２は、その両端部にて、矩形板状回動基部３１１ｂの下面及び入賞口部材２１０の案内壁部１３に係止されている。
【００８３】
これにより、当該捩りばね３１２は、矩形板状回動基部３１１ｂを支持軸３１１ａの軸周りに図１２にて図示反時計方向に回動させるように付勢している。このことは、捩りばね３１２が、矩形板状回動基部３１１ｂをその右端側部位にて開閉扉２２０の左壁部２２１の下側切り割り部２２３に押圧させるように付勢するとともに、Ｌ字板状槌部３１１ｃの先端部３１１ｄを、開閉扉２２０の左壁部２２１の切り割り溝部２２４ａ内に進入させ得るように可能に付勢されることを意味する。
【００８４】
ここで、本第１実施形態において、槌機構３００を導入した根拠について説明すると、上述したごとく、開閉扉２２０の前進過程において、遊技球が開閉扉２２０と前扉ＦＤのガラス板ＦＤ２との間に噛み込まれても、当該遊技球を開閉扉２２０と前扉ＦＤのガラス板ＦＤ２との間の噛み込みから強制的に外すようにすることが本発明の主たる技術的解決課題である。
【００８５】
この技術的解決課題を実現するにあたっては、開閉扉２２０がその前進過程において、開閉扉２２０の前縁部２２５と前扉ＦＤのガラス板ＦＤ２の裏面との距離が遊技球の外径に達する直前に、遊技球が開閉扉２２０の前縁部２２５と前扉ＦＤのガラス板ＦＤ２の裏面との間に達したときに、当該遊技球が、開閉扉２２０とガラス板ＦＤ２との間に噛み込まれるという事態が発生し易い。
【００８６】
このような事態が発生したときに当該遊技球の開閉扉２２０とガラス板ＦＤ２との間の噛み込みを強制的に解消するためには、上記事態の発生の際、その発生直前或いはその発生直後において、当該遊技球を開閉扉２２０とガラス板ＦＤ２との間から強制的に押し出すことが考えられる。このため、上述のように構成した槌機構３００が、開閉扉２２０の左壁部２２１の構成との関係において導入されている。
【００８７】
さらに、本第１実施形態では、次のような構成状の関係が、槌部材３１０と開閉扉２２０の左壁部２２１との間に導入されている。
【００８８】
但し、前扉ＦＤの閉状態にて開閉扉２２０がその後退完了位置にあるとき、開閉扉２２０の前縁部２２５と前扉ＦＤのガラス板ＦＤ２の裏面との間の距離を最大距離Ｄｍａｘ（例えば、２５（ｍｍ））とする。また、開閉扉２２０がその前進完了位置にあるときには、当該開閉扉２２０の前縁部２２５とガラス板ＦＤ２の裏面との間の距離、即ち、最小距離Ｄｍｉｎは、遊技球の外径よりも狭い。
【００８９】
また、左壁部２２１において、切り割り溝部２２４ａの前後方向の奥行きをＤａとし、前方壁部２２３ｂの前後方向長さをＤｂとし、窪み部２２３ａの前後方向長さをＤｃとする。
【００９０】
このような前提のもと、本第１実施形態において、上述のような事態の発生に対処するために、槌機構３００の構成が開閉扉２２０の左壁部２２１との構成との関係において次のように設定されている。
【００９１】
槌部材３１０の矩形板状回動基部３１１ｂの前後方向長さは、最大距離Ｄｍａｘから遊技球の外径を減じた値になっている。
【００９２】
このようにしたのは、開閉扉２２０の前進過程において、開閉扉２２０の前縁部２２５とガラス板ＦＤ２の裏面との間の距離が遊技球の外径よりも広い間では、矩形板状回動基部３１１ｂが、その右端面にて、捩りばね３１２の付勢力のもと、左壁部２２１の前方壁部２２３ｂに左側から圧接し続けることで、槌部材３１０のＬ字板状槌部３１１ｃが、その先端部３１１ｄにて、開閉扉２２０の前縁部２２５とガラス板ＦＤ２の裏面との間よりも右側に維持されるようにし、かつ、開閉扉２２０の前縁部２２５とガラス板ＦＤ２の裏面との間の距離が遊技球の外径に達したときには、槌部材３１０が、捻りばね３１２の付勢力のもとに回動し、矩形板状回動基部３１１ｂの右端面後部３１１ｅ（図１０参照）にて、左壁部２２１の窪み部２２３ａの内面に圧接することで、Ｌ字板状槌部３１１ｃが、その先端部３１１ｄにより、開閉扉２２０の前縁部２２５とガラス板ＦＤ２の裏面との間に進入するようにするためである。
【００９３】
また、左壁部２２１において、切り割り溝部２２４ａの前後方向の奥行きＤａは、最大距離Ｄｍａｘと最小距離Ｄｍｉｎとの差よりも短く、かつ、前方壁部２２３ｂの前後方向長さをＤｂと窪み部２２３ａの前後方向長さＤｃとの和よりも長く設定されている。このようにしたのは、開閉扉２２０の前進過程において、当該開閉扉２２０の前縁部２２５とガラス板ＦＤ２の裏面との距離が遊技球の外径に達したとき、矩形板状回動基部３１１ｂを、上述のごとく窪み部２２３ａ内に圧接させた後、窪み部２２３ａとの圧接から解除して後方壁部２２３ｃに圧接させるためである。
【００９４】
これにより、Ｌ字板状槌部３１１ｃの先端部３１１ｄは、開閉扉２２０のさらなる前進に応じて左壁部２２１の切り割り溝部２２４ａ内に進入した後、矩形板状回動基部３１１ｂの後方壁部２２３ｃとの圧接に伴い切り割り溝部２２４ａから脱出する。
【００９５】
以上のように構成した本第１実施形態において、当該パチンコ遊技機では、開閉扉２２０が遊技盤１０の上記アタッカー用開口部内に後退して後退完了位置に維持されているものとする（図８〜図１０参照）。
【００９６】
このとき、開閉扉２２０は、上記アタッカー用開口部内に収容されて上記入賞口部材２１０の凹所２１１の上記上側開口部を開いている。このことは、アタッカーＡＴが大入賞口を開いた状態にあることを意味する。また、槌機構３００の槌部材３１０の基板部３１１ｂは、その右端側部位にて、図１０に示すごとく、捩りばね３１２の付勢力のもと、開閉扉２２０における左壁部２２１の下側切り割り壁部２２３の前方壁部２２３ｂに左側から圧接している。
【００９７】
これに伴い、槌部材３１０は、基板部３１１ｂを介し、Ｌ字板状槌部３１１ｃの先端部３１１ｄを開閉扉２２０の前側領域（開閉扉２２０の前縁部２２５とガラス板ＦＤ２との間の領域）よりも左側に位置するように維持する。
【００９８】
従って、遊技球が上方から凹所２１１内に落下しようとするとき、当該遊技球は、Ｌ字板状槌部３１１ｃの先端部３１１ｄにより邪魔されることなく、凹所２１１内にその大入賞口から入賞し得る。その結果、大入賞口を介する凹所２１１への多数の遊技球の入賞が期待され得る。
【００９９】
このような状態において、開閉扉２２０が、上記駆動機構により駆動されて前進状態におかれると、当該開閉扉２２０は、遊技盤１０の上記アタッカー用開口部から前方へ脱出しつつ入賞口部材２１０の凹所２１１の上記上側開口部を閉じていく。
【０１００】
このような開閉扉２２０の前進過程においては、側壁部２２１の前方壁部２２３ｂが槌部材３１０の矩形板状回動基部３１１ｂの右側面に沿いこれにより圧接されながら前進する。このような過程では、Ｌ字板状槌部３１１ｃの先端部３１１ｄは、開閉扉２２０の前側領域よりも左側に維持されたままである。
【０１０１】
然る後、開閉扉２２０のさらなる前進に伴い、当該開閉扉２２０の前縁部２２５がガラス板ＦＤ２の裏面から後方へ遊技球の外径（例えば、１１（ｍｍ））に相当する距離に達すると、開閉扉２２０の下側切り割り壁部２２３がその前方壁部２２３ｂにて槌部材３１０の回動回動基部３１１ｂから解離する。
【０１０２】
これに伴い、回動基部３１１が、捩りばね３２０の付勢のもとに支持軸３１１ａの軸周りに回動しながら下側切り割り壁部２２３の窪み部２２３ａ内に圧接する。このとき、回動基部３１１が、その右側前端隅角部３１１ｅにて、窪み部２２３ａの内面に圧接する。すると、槌部材３１０の槌部３１１ｃが回動回動基部３１１ｂと同一方向に回動して先端部３１１ｄを開閉扉２２０の前縁部２２５とガラス板ＦＤの裏面との間に左側から進入させる（図１１〜図１３）。
【０１０３】
このような進入に先立ち、開閉扉２２０の前縁部２２５がガラス板ＦＤ２の裏面から後方へ遊技球の外径に相当する距離に達したときに、落下による遊技球が開閉扉２２０の前縁部２２５の左端部とガラス板ＦＤ２の裏面との間に噛み込まれると、当該遊技球は、上述のように開閉扉２２０の前縁部２２５とガラス板ＦＤ２の裏面との間に進入する槌部３１１ｃの先端部３１１ｄにより、前縁部２２５の左端部とガラス板ＦＤ２の裏面との間から右方へ強制的に押し出される。これにより、当該遊技球の上記噛み込みを解消することができる。
【０１０４】
このようにして遊技球の噛み込みが解消されると、開閉扉２２０は、上記駆動機構による駆動のもとに、さらに前進する（図１４〜図１６参照）。このとき、上述のような遊技球の噛み込み解消後も、槌部材３１０の槌部３１１ｃは、その先端部３１１ｄにて、開閉扉２２０の前縁部２２５の左端部とガラス板ＦＤ２の裏面との間に介在しているが、開閉扉２２０の左壁部２２１が、その前側部位にて、上述のごとく、上下両側切り割り壁部２２３、２２４として形成されることで、当該上下両側切り割り壁部２２３、２２４の間には切り割り溝部２２４ａが形成されている。
【０１０５】
このため、槌部３１１ｃの先端部３１１ｄは、開閉扉２２０の前進に伴い、切り割り溝部２２４ａ内に進入する。従って、開閉扉２２０は、槌部３１１ｃにより邪魔されることなく、円滑に前進して凹所２１１の上記上側開口部を閉じることができる。
【０１０６】
ここで、下側切り割り壁部２２３の窪み部２２３ａの後端部が切り割り溝部２２４ａの後端部よりも前側に位置するため、槌部材３１０の回動回動基部３１１ｂは、開閉扉２２０の前進に伴い、捩りばね３２０に抗して、窪み部２２３ａから解離する方向に槌部３１１ｃと共に回動して下側切り割り壁部２２３の後方壁部２２３ｃに圧接するようになる。
【０１０７】
このため、槌部３１１ｃの先端部３１１ｄが切り割り溝部２２４ａから左方へ脱出する。従って、開閉扉２２０が、切り割り溝部２２４ａの後端部との槌部３１１ｃの先端部３１１ｄによる係合を未然に防止しつつ、円滑に前進して、前進完了位置に達することができる。
【０１０８】
なお、開閉扉２２０を前進完了位置から後退完了位置まで後退させるときの槌機構３００の動作は、上述した開閉扉２２０の前進時の槌機構３００の動作とは反対の動作となる。
【０１０９】
以上説明したように、本第１実施形態では、アタッカーＡＴが、アタッカー本体２００と、上述のようにアタッカー本体２００の開閉扉２２０の左壁部２２１との関係で構成した槌機構３００とにより構成されている。
【０１１０】
従って、開閉扉２２０が後退完了位置にあるときには、当該開閉扉２２０は、遊技盤１０の上記アタッカー用開口部内に収容されて入賞口部材２１０の凹所２１１の上側開口部（大入賞口）を開いている（図８及び図９参照）。このため、遊技盤１０の盤面１１に沿い上方からアタッカーＡＴに向けて落下する遊技球は、凹所２１１内にその上側開口部から入賞し易い状態となっている。
【０１１１】
このとき、槌機構３００の槌部材３１０は、回動基部３１１ｂの右端面にて、捩りばね３２０の付勢力のもとに、開閉扉２２０の左壁部２２１における下側切り割り壁部２２３の後方壁部２２３ｃに圧接するとともに、槌部３１１ｃが、その先端部３１１ｄにて下側切り割り壁部２２３の切り割り溝部２２４ａにその左側から対向している。
【０１１２】
このような状態において、開閉扉２２０が、上記駆動機構により駆動されて前進状態におかれると、当該開閉扉２２０は、上記アタッカー用開口部から脱出しながら凹所２１０の上記上側開口部に沿いガラス板ＦＤ２に向けて前進する。このとき、開閉扉２２０は、下側切り割り壁部２２３の後方壁部２２３ｃにて、捩りばね３２０の付勢力のもとに、回動基部３１１ｂによりその右端面にて圧接された状態で前進する。
【０１１３】
然る後、開閉扉２２０が、その前縁部２２５にて、ガラス板ＦＤ２の裏面から後方へ遊技球の外径に相当する距離の位置に前進すると、開閉扉２２０の下側切り割り壁部２２３が、その後方壁部２２３ｃにて、回動基部３１１ｂの右端面から解離し、当該回動基部３１１ｂが、捩りばね３２０の付勢力のもとに、回動されて、右側前端隅角部３１１ｅにて、下側切り割り壁部２２３の窪み部２２３ａの凹状内面に圧接する。このため、槌部材３１０の槌部３１１ｃは、回動基部３１１ｂと共に同一方向に回動して、先端部３１１ｄを、開閉扉２２０の前縁部２２５の左端部とガラス板ＦＤ２の裏面との間に進入させる。
【０１１４】
しかして、このような進入に先立ち、遊技球が開閉扉２２０の前縁部２２５の左端部とガラス板ＦＤ２の裏面との間に噛み込まれると、この遊技球の噛み込みが、上述した槌部材３１１ｃの先端部３１１ｄの進入でもって強制的に解消され得る。
【０１１５】
また、このような噛み込みの解消後、開閉扉２２０がさらに前進するが、槌部３１１ｃの先端部３１１ｄが、開閉扉２２０の前進に伴い、左側壁部２２１の切り割り溝部２２４ａ内に進入し、然る後、槌部材３１０の回動基部３１１ｂが、下側切り割り壁部２２３の窪み部２２３ａから解離して後方壁部２２３ｃに圧接して、捩りばね３２０に抗して槌部３１１ｃとともに回動される。このため、回動基部３１１ｂは、その右端面にて、後方壁部２２３ｃに圧接し、槌部３１１ｃが、その先端部３１１ｄにて、切り割り溝部２２４ａから左方へ脱出する。
【０１１６】
その結果、開閉扉２２０は、槌部３１１ｃの先端部３１１ｄにより邪魔されることなく、前進完了位置に達することができる。
【０１１７】
また、上述のように、槌機構３００という機械的構成をアタッカー本体２００に付加することで、開閉扉２２０の前進に連動して槌機構３００が開閉扉２２０の左壁部２２１の上記構成との関係にて遊技球の噛み込みを解消する。従って、なんらかの電気的構成や電気的制御に依存することなく、単なる機械的構成でもって、上述の遊技球の噛み込みを解消し得る。
（第２実施形態）
次に、本発明に係るパチンコ遊技機の第２実施形態について説明する。この第２実施形態においては、上記第１実施形態にて述べたアタッカーＡＴにおいて、開閉扉２２０が、その左壁部２２１にて、上記第１実施形態とは異なり、入賞口部材２１０の案内壁部２１３の右端部と凹所２１１の左壁２１１ｃの上端部との間に形成してなるコ字状凹部２１３ａ（図６にて二点鎖線による引き出し線による支持部位参照）内に前後方向に移動可能に支持されている。
【０１１８】
また、上記第１実施形態にて述べた槌機構３００は、上記第１実施形態とは異なり、コ字状凹部２１３ａ内にて開閉扉２２０の左壁部２２１の左側に設けられている。これに伴い、捩りばね３２０は、その両端部にて、左壁２１１ｃのコ字状凹部２１３ａの底面部と回動基部３１１ｂとの間に係止されている。従って、槌部材３１０は、回動基部３１１ｂにて、捩りばね３２０の付勢力に抗して回動し、槌部３１１ｃの先端部３１１ｄを開閉扉２２０の前縁部２２５の左端部とガラス扉ＦＤ２の裏面との間に進入させる。その他の構成は、上記第１実施形態と同様である。
【０１１９】
このように構成した第２実施形態では、槌機構３００が、開閉扉２２０の左壁部２２１と共に、左壁２１１ｃのコ字状凹部２１３ａ内に収容されているから、開閉扉２２０上に沿い左側へ転動する遊技球は、槌機構３００により邪魔されることなく、案内壁部２１３上に転動してアウト口は案内され得る。その他の作動及び作用効果は、上記第１実施形態と同様である。
【０１２０】
なお、本発明の実施にあたり、上記実施形態に限ることなく、次のような種々の変形例が挙げられる。
（１）本発明の実施にあたり、上記実施形態にて述べた槌機構３００を開閉扉２２０の右壁部側にも設けるようにしてもよい。この場合、新たな槌機構は、上記実施形態にて述べた槌機構３００に対し対称的な構成を有するようにする。これによれば、開閉扉２２０の左右両側端部とガラス板ＦＤ２との間の遊技球の噛み込みが上記実施形態と同様に解消され得る。なお、これに代えて、上記実施形態にて述べた槌機構３００を開閉扉２２０の右壁部側に設けるようにしてもよい。
（２）本発明の実施にあたり、上記実施形態にて述べたアタッカーＡＴは、上記実施形態とは異なり、一般的な左打ちタイプのパチンコ遊技機と同様に、電動チューリップ６０ｂの直下に設けるようにしてもよい。この場合、アタッカーは、左右方向に水平な開閉扉を備えた構成であってもよい。
（３）本発明の実施にあたり、開閉扉２２０の扉本体２２０ａは、左右両壁部２２１、２２２の各延出長さに相当する厚さを有していてもよい。
（４）本発明の実施にあたり、遊技球の外径は、１１（ｍｍ）に限ることなく、その加工精度や使用による摩耗を考慮して、１１（ｍｍ）±１０（％）の範囲内であってもよい。従って、上述の距離は、１１（ｍｍ）の±１０（％）の範囲内であってもよい。
（５）本発明の実施にあたり、アタッカーＡＴに限ることなく、一般的には、遊技盤１０の盤面に設けられる可変入賞口装置に本発明を適用してもよい。
【符号の説明】
【０１２１】
ＡＴ…アタッカー、ＦＤ…前扉、ＦＤ２…ガラス板、１０…遊技盤、
１１…盤面、２１０…板状入賞口部材、２１１…凹所、２２０…開閉扉、
２２１…左壁部、２２３…下側切り割り壁部、２２３ａ…窪み部、
２２３ｂ…前方壁部、２２４…上側切り割り壁部、２２５…前縁部、
３００…槌機構、３１０…槌部材、３１１ｂ…回動基部、３１１ｃ…槌部、
３２０…捩りばね。
【図１】
2012045140.tif 000003
【図２】
2012045140.tif 000004
【図３】
2012045140.tif 000005
【図４】
2012045140.tif 000006
【図５】
2012045140.tif 000007
【図６】
2012045140.tif 000008
【図７】
2012045140.tif 000009
【図８】
2012045140.tif 000010
【図９】
2012045140.tif 000011
【図１０】
2012045140.tif 000012
【図１１】
2012045140.tif 000013
【図１２】
2012045140.tif 000014
【図１３】
2012045140.tif 000015
【図１４】
2012045140.tif 000016
【図１５】
2012045140.tif 000017
【図１６】
2012045140.tif 000018